(57)【要約】【課題】目的とする防振性能が安定して確保されつつ、キャビテーションによる異音や振動の抑制効果が効果的に発揮され得る、新規な構造の流体封入式防振装置を提供する。【解決手段】閉塞ゴム弾性板６６を仕切部材３０における受圧室６０と平衡室６２のまわりに重ね合わせ状態に保持させると共に、受圧室６０と平衡室６２の圧力差に基づき閉塞ゴム弾性板６６が弾性変形して仕切部材３０から離隔して連通口４２を開口させる過大圧力回避機構を構成する一方、仕切部材３０と閉塞ゴム弾性板６６の重ね合わせ面間で広がる閉鎖状隙間８６を形成すると共に、閉鎖状隙間８６の外周部位に対して連通口４２を接続させて、平衡室６２の圧力が連通口４２と閉鎖状隙間８６を通じて閉塞ゴム弾性板６６に及ぼされるようにした。【選択図】図１
2010007837.tif 000002
【特許請求の範囲】
【請求項１】
第一の取付部材と第二の取付部材を本体ゴム弾性体で連結すると共に、壁部の一部が該本体ゴム弾性体で構成された受圧室と壁部の一部が可撓性膜で構成された平衡室とを形成して、それら受圧室と平衡室に非圧縮性流体を封入すると共に、それら受圧室と平衡室を相互に連通するオリフィス通路を設けた流体封入式防振装置において、
前記受圧室と前記平衡室を仕切る仕切部材に対してそれら受圧室と平衡室を連通する連通口を形成すると共に、該連通口に対して該受圧室側から重ね合わされて該連通口を閉塞する閉塞ゴム弾性板を配設し、更に該閉塞ゴム弾性板を該仕切部材に当接した重ね合わせ状態に弾性的に保持する当接保持手段を設けて、該閉塞ゴム弾性板の一方の面に該受圧室の圧力が及ぼされ且つ他方の面に該連通口を通じて該平衡室の圧力が及ぼされるようになし、該受圧室と該平衡室の圧力差に基づいて該閉塞ゴム弾性板が弾性変形せしめられて該閉塞ゴム弾性板の外周縁部が該仕切部材から離隔することにより該連通口を開口させる過大圧力回避機構を構成する一方、該仕切部材と該閉塞ゴム弾性板との重ね合わせ面間で広がる閉鎖状隙間を形成すると共に、該閉鎖状隙間の外周部位に対して該連通口を接続させて該連通口を通じて及ぼされる該平衡室の圧力が該閉鎖状隙間を介して該閉塞ゴム弾性板に及ぼされるようにしたことを特徴とする流体封入式防振装置。
【請求項２】
前記閉塞ゴム弾性板の中央部分に中央取付部が一体形成されており、この中央取付部が前記仕切部材に対して固定的に取り付けられている一方、該中央取付部から外周側に向かって放射状に延びるスポーク状保持部が設けられていると共に、該スポーク状保持部の先端部分から周方向に延びるようにして周方向保持部が設けられており、該スポーク状保持部および該周方向保持部のばね特性が該閉塞ゴム弾性板においてそれらスポーク状保持部と周方向保持部で囲まれた領域のばね特性に比して硬くされていることにより、該中央取付部と該スポーク状保持部と該周方向保持部とを含んで前記当接保持手段が構成されている請求項１に記載の流体封入式防振装置。
【請求項３】
前記閉塞ゴム弾性板の外周縁部には周方向に離隔して複数の厚肉ゴム部が設けられていると共に、該厚肉ゴム部を挟んで前記仕切部材と反対側に押圧保持部材が設けられて、該厚肉ゴム部が該押圧保持部材で該仕切部材に対して押し付けられて弾性的に挟圧保持されていることによって前記当接保持手段が構成されている一方、該閉塞ゴム弾性板における周方向で隣り合う該厚肉ゴム部の周方向間には該厚肉ゴム部よりも薄肉の弾性変形領域が形成されている請求項１又は２に記載の流体封入式防振装置。
【請求項４】
前記閉塞ゴム弾性板の外周縁部にはゴム弾性体よりも硬質の補強部材が固着されて該補強部材により前記当接保持手段が構成されていると共に、該閉塞ゴム弾性板の弾性変形領域は該補強部材が固着されておらず変形容易とされている請求項１乃至３の何れか一項に記載の流体封入式防振装置。
【請求項５】
前記閉塞ゴム弾性板を前記受圧室側から離隔して覆う受圧室側カバー部材が設けられていると共に、該受圧室側カバー部材には、該受圧室側カバー部材と該閉塞ゴム弾性板との間の内部領域を該受圧室に接続する連通孔が、該閉塞ゴム弾性板の外周縁部に対する対向部位を外れた位置に設けられている請求項１乃至４の何れか一項に記載の流体封入式防振装置。
【請求項６】
前記仕切部材の中央部分に対して前記閉塞ゴム弾性板が重ね合わされて配設されている一方、該仕切部材の外周部分を周方向に延びるように前記オリフィス通路が形成されている請求項１乃至５の何れか一項に記載の流体封入式防振装置。
【請求項７】
前記仕切部材と前記閉塞ゴム弾性板との少なくとも一方の重ね合わせ面において凹所が形成されており、該凹所が覆蓋されることによって前記閉鎖状隙間が形成されている請求項１乃至６の何れか一項に記載の流体封入式防振装置。
【請求項８】
前記閉塞ゴム弾性板の外周部分には、前記仕切部材への対向面上に突出して周方向の全周に亘って連続して延びる環状のシール突条が一体形成されており、該閉塞ゴム弾性板の該仕切部材への重ね合わせ状態下で該シール突条が該仕切部材に対して当接している請求項１乃至７の何れか一項に記載の流体封入式防振装置。
【発明の詳細な説明】
【技術分野】
【０００１】
本発明は、内部に封入された非圧縮性流体の流動作用に基づく防振効果を利用する流体封入式防振装置に関するものである。
【背景技術】
【０００２】
従来から、振動伝達系を構成する部材間に介装される防振連結体や防振支持体等の防振装置の一種として、第一の取付部材と第二の取付部材を本体ゴム弾性体で連結した防振装置があり、かかる防振装置の発展型として流体封入式防振装置が知られている。この流体封入式防振装置は、壁部の一部が本体ゴム弾性体で構成された受圧室と壁部の一部が可撓性膜で構成された平衡室を形成して、両室に非圧縮性流体を封入すると共に、両室をオリフィス通路を通じて相互に連通させた構造とされている。このような構造によれば、受圧室に振動が入力されて、受圧室と平衡室の間の圧力差によりオリフィス通路を通じて流動する流体の共振作用等の流動作用によって防振効果が発揮され得る。かくの如き流体封入式防振装置は、例えば、自動車用のエンジンマウントやボデーマウント、デフマウント、サスペンションメンバマウントの他、サスペンションブッシュ等への適用が検討されている。
【０００３】
ところで、自動車用のエンジンマウント等では、複数の周波数域の振動に対してそれぞれ防振効果が要求される。そこで、一般に、オリフィス通路をエンジンシェイク等の低周波大振幅振動にチューニングすると共に、走行こもり音等の高周波小振幅振動に対しては受圧室の圧力変動を吸収する可動膜を設ける等して対応している。
【０００４】
加えて、自動車用エンジンマウント等においては、近年、過大な振動荷重や衝撃荷重の入力時に振動や異音の発生が問題視されている。これは、主として、受圧室に過大な負圧が発生することに伴うキャビテーション気泡が原因と考えられる。即ち、大振幅の振動が入力されて受圧室の圧力が過大に低下すると、受圧室の流体中に溶存していた空気が液相分離をし、キャビテーション気泡を形成する。そして、かかる気泡の崩壊に伴う水撃圧が第一の取付部材や第二の取付部材に伝播して、自動車ボデー等の振動伝達系を構成する部材に伝達されることによって、問題となる異音や振動が生じると考えられる。
【０００５】
かかる問題に対処するために、本出願人は、先に特許文献１（特願２００７−３１１７４９号）において、受圧室と平衡室を仕切る仕切部材に両室を連通する連通路を設けると共に、連通路に対して受圧室側から重ね合わせて連通路を閉塞する閉塞ゴム弾性板を配設して、連通路の連通、遮断制御手段を構成した新規な構造を提案した。過大な振動荷重や衝撃荷重の入力時に急激な圧力低下が受圧室に発生した際、閉塞ゴム弾性板が弾性変形して仕切部材から離隔することで連通路が連通状態となり、受圧室と平衡室が短絡することによって、受圧室の負圧発生が回避され得る。また、この閉塞ゴム弾性板は、連通路を遮断した状態下での弾性変形により受圧室の圧力変動の吸収機能を発揮することで、高周波小振幅振動に対する防振効果も発揮し得る。
【０００６】
ここで、本発明者は、特許文献１に記載の流体封入式防振装置について、更なる検討を重ねたところ、未だ改良の余地があることを想到した。即ち、かかる特許文献１に記載の連通、遮断制御手段では、エンジンシェイク等の振動入力時、連通路を覆蓋する閉塞ゴム弾性板はその表裏両面に及ぼされる圧力差に基づいて弾性変形し、この弾性変形に伴って受圧室の圧力が吸収される。そのため、オリフィス通路を通じての流体流動量が低下してしまい、オリフィス通路による低周波大振幅振動に対する防振効果が充分に発揮され難くなるおそれを有していた。
【０００７】
なお、これに対処するために、閉塞ゴム弾性板の変形剛性を大きくすることも考えられるが、それでは、走行こもり音等の高周波小振幅振動の入力時に受圧室の圧力変動が軽減されなくなり、高周波小振幅振動に対する防振性能が低下してしまう問題が発生する。
【０００８】
要するに、特許文献１に開示された流体封入式防振装置では、（ｉ）オリフィス通路による低周波大振幅振動に対する防振効果と、（ｉｉ）閉塞ゴム弾性板の弾性変形による高周波小振幅振動に対する防振効果とを両立して達成すると共に、（ｉｉｉ）過大な振動入力に伴う受圧室の圧力変動に起因する衝撃や異音の発生を抑えることに関して、その要求を未だ充分に満足し得ない場合があったのである。
【０００９】
【特許文献１】特願２００７−３１１７４９号
【発明の開示】
【発明が解決しようとする課題】
【００１０】
ここにおいて、本発明は、上述の如き事情を背景として為されたものであって、その解決課題とするところは、（ｉ）オリフィス通路による低周波大振幅振動に対する防振効果を充分に確保しつつ、（ｉｉ）高周波小振幅振動に対する防振効果と、（ｉｉｉ）過大な振動入力時における衝撃や異音の抑制効果とが、一層効果的に発揮され得る、先願（特許文献１）よりも更に改良された構造の流体封入式防振装置を提供することにある。
【課題を解決するための手段】
【００１１】
以下、このような課題を解決するために為された本発明の態様を記載する。なお、以下に記載の各態様において採用される構成要素は、可能な限り任意な組み合わせで採用可能である。また、本発明の態様及び技術的特徴は、以下に記載のものに限定されることなく、明細書全体および図面に記載されたもの、或いはそれらの記載から当業者が把握することの出来る発明思想に基づいて認識されるものであることが理解されるべきである。
【００１２】
すなわち、本発明の特徴とするところは、第一の取付部材と第二の取付部材を本体ゴム弾性体で連結すると共に、壁部の一部が該本体ゴム弾性体で構成された受圧室と壁部の一部が可撓性膜で構成された平衡室とを形成して、それら受圧室と平衡室に非圧縮性流体を封入すると共に、それら受圧室と平衡室を相互に連通するオリフィス通路を設けた流体封入式防振装置において、前記受圧室と前記平衡室を仕切る仕切部材に対してそれら受圧室と平衡室を連通する連通口を形成すると共に、該連通口に対して該受圧室側から重ね合わされて該連通口を閉塞する閉塞ゴム弾性板を配設し、更に該閉塞ゴム弾性板を該仕切部材に当接した重ね合わせ状態に弾性的に保持する当接保持手段を設けて、該閉塞ゴム弾性板の一方の面に該受圧室の圧力が及ぼされ且つ他方の面に該連通口を通じて該平衡室の圧力が及ぼされるようになし、該受圧室と該平衡室の圧力差に基づいて該閉塞ゴム弾性板が弾性変形せしめられて該閉塞ゴム弾性板の外周縁部が該仕切部材から離隔することにより該連通口を開口させる過大圧力回避機構を構成する一方、該仕切部材と該閉塞ゴム弾性板との重ね合わせ面間で広がる閉鎖状隙間を形成すると共に、該閉鎖状隙間の外周部位に対して該連通口を接続させて該連通口を通じて及ぼされる該平衡室の圧力が該閉鎖状隙間を介して該閉塞ゴム弾性板に及ぼされるようにした流体封入式防振装置にある。
【００１３】
このような本発明に従う構造とされた流体封入式防振装置においては、第一の取付部材と第二の取付部材の間に過大な振動荷重や衝撃的な振動荷重が入力されて、上述の過大圧力回避機構が作動することにより、閉塞ゴム弾性板が仕切部材から離隔して、閉鎖状隙間が受圧室に開放し、受圧室と平衡室が連通口を通じて短絡する。その際、連通口よりも閉鎖状隙間の方が、閉塞ゴム弾性板の仕切部材側面に対して大きな面積で広がっていることから、単に連通口だけを設けた場合に比して、閉鎖状空間を形成したことにより、閉塞ゴム弾性板を仕切部材から離隔させる変形が速やかに発生し得る。その結果、受圧室における過大な負圧の発生が回避乃至は速やかに解消されて、キャビテーションに起因すると考えられる異音や振動の発生が一層効果的に防止され得る。
【００１４】
一方、オリフィス通路のチューニング周波数域の低周波大振幅振動の入力に際しては、閉塞ゴム弾性板の表裏両面に及ぼされる圧力差の変動が比較的に大きいことから、閉塞ゴム弾性板の弾性変形によって閉塞ゴム弾性板が閉鎖状隙間を消失させるようになり、閉塞ゴム弾性板が仕切部材に当接状態となる。これにより、閉塞ゴム弾性板の変形変位が制限されて、かかる変形変位による受圧室の圧力吸収作用が抑えられる結果、受圧室と平衡室の間に大きな圧力変動が惹起されることとなり、オリフィス通路の流体流動量が充分に確保されて、所期のオリフィス通路による防振効果が効果的に発揮される。
【００１５】
また、閉塞ゴム弾性板の表裏両面に及ぼされる圧力差の変動が小さい小振幅振動の入力時には、閉塞ゴム弾性板はその一方の面が受圧室によって他方の面が閉鎖状隙間によってそれぞれ膨出を伴う弾性変形が許容される。この閉塞ゴム弾性板の微小な変形作用に基づいて受圧室の圧力が吸収されることとなり、高周波小振幅振動時の高動ばね化が回避されて防振性能の向上が図られ得るのである。
【００１６】
上述の如くして、本発明の流体封入式防振装置では、（ｉ）オリフィス通路による低周波大振幅振動に対する優れた防振性能と、（ｉｉ）高周波小振幅振動に対する閉塞ゴム弾性板の弾性変形に伴う低動ばね作用による優れた防振性能と、（ｉｉｉ）過大な振動入力時における閉塞ゴム弾性板の外周縁部の開放変形に伴う連通口を通じての受圧室と平衡室との短絡作用による衝撃や異音の抑制効果とが、何れも効果的に達成され得るのである。
【００１７】
また、本発明の流体封入式防振装置では、前記閉塞ゴム弾性板の中央部分に中央取付部が一体形成されており、この中央取付部が前記仕切部材に対して固定的に取り付けられている一方、該中央取付部から外周側に向かって放射状に延びるスポーク状保持部が設けられていると共に、該スポーク状保持部の先端部分から周方向に延びるようにして周方向保持部が設けられており、該スポーク状保持部および該周方向保持部のばね特性が該閉塞ゴム弾性板においてそれらスポーク状保持部と周方向保持部で囲まれた領域のばね特性に比して硬くされていることにより、該中央取付部と該スポーク状保持部と該周方向保持部とを含んで前記当接保持手段が構成されている態様が、採用されても良い。
【００１８】
このような態様によれば、中央取付部の仕切部材への固定力が、複数のスポーク状保持部を介して各周方向保持部に対して当接保持力として伝達されることとなり、閉塞ゴム弾性板の仕切部材に対する重ね合わせ状態が一層効果的に保持され得る。また、閉塞ゴム弾性板の主たる弾性変形領域が、スポーク状保持部と周方向保持部で囲まれた領域によって有利に確保され得る。
【００１９】
また、本発明の流体封入式防振装置では、前記閉塞ゴム弾性板の外周縁部には周方向に離隔して複数の厚肉ゴム部が設けられていると共に、該厚肉ゴム部を挟んで前記仕切部材と反対側に押圧保持部材が設けられて、該厚肉ゴム部が該押圧保持部材で該仕切部材に対して押し付けられて弾性的に挟圧保持されていることによって前記当接保持手段が構成されている一方、該閉塞ゴム弾性板における周方向で隣り合う該厚肉ゴム部の周方向間には該厚肉ゴム部よりも薄肉の弾性変形領域が形成されている態様が、採用されても良い。これにより、閉塞ゴム板の仕切部材に対する当接保持手段が、簡単な構造で実現され得ることに加え、受圧室の液圧吸収等に際して要求される閉塞ゴム弾性板の変形量が、厚肉ゴム部の周方向間の弾性変形領域において有利に確保され得る。
【００２０】
また、本発明の流体封入式防振装置では、前記閉塞ゴム弾性板の外周縁部にはゴム弾性体よりも硬質の補強部材が固着されて該補強部材により前記当接保持手段が構成されていると共に、該閉塞ゴム弾性板の弾性変形領域は該補強部材が固着されておらず変形容易とされている態様が、採用されても良い。これにより、弾性変形領域の柔らかいばね特性を確保しつつ、当接保持手段の耐久性が向上され得る。
【００２１】
また、本発明の流体封入式防振装置では、前記閉塞ゴム弾性板を前記受圧室側から離隔して覆う受圧室側カバー部材が設けられていると共に、該受圧室側カバー部材には、該受圧室側カバー部材と該閉塞ゴム弾性板との間の内部領域を該受圧室に接続する連通孔が、該閉塞ゴム弾性板の外周縁部に対する対向部位を外れた位置に設けられている態様が、採用されても良い。
【００２２】
このような態様によれば、受圧室の過負圧状態で閉塞ゴム弾性板の弾性変形領域の変形に伴い連通口が開口するに際して、開口部付近で気泡が生じる場合に、気泡が内部領域から連通孔を通じて受圧室に流動する。その際に、気泡がカバー部材に当接することによって、気泡の成長を抑えたり、気泡を細分化させることが出来る。それ故、大きな気泡の崩壊に伴う水撃圧に起因する異音や振動が抑制され得る。
【００２３】
また、本発明の流体封入式防振装置では、前記仕切部材の中央部分に対して前記閉塞ゴム弾性板が重ね合わされて配設されている一方、該仕切部材の外周部分を周方向に延びるように前記オリフィス通路が形成されている態様が、採用されても良い。かかる態様によれば、閉塞ゴム弾性板の面積やオリフィス通路の通路長さが何れも大きく確保されて、目的とする防振性能やキャビテーション防止効果が効率的に得られる。
【００２４】
なお、本発明の流体封入式防振装置では、例えば、仕切部材と閉塞ゴム弾性板が当接部材を介して部分的に重ね合わされることによって、仕切部材と閉塞ゴム弾性板の離隔した対向面間における当接部材のまわりに閉鎖状隙間が形成されても良い。そこにおいて、好適には、前記仕切部材と前記閉塞ゴム弾性板との少なくとも一方の重ね合わせ面において凹所が形成されており、該凹所が覆蓋されることによって前記閉鎖状隙間が形成されている態様が、採用され得る。これにより、閉鎖状隙間が、充分な形成スペースをもって、且つ簡単な構造で実現され得る。
【００２５】
また、本発明の流体封入式防振装置では、前記閉塞ゴム弾性板の外周部分には、前記仕切部材への対向面上に突出して周方向の全周に亘って連続して延びる環状のシール突条が一体形成されており、該閉塞ゴム弾性板の該仕切部材への重ね合わせ状態下で該シール突条が該仕切部材に対して当接している態様が、採用されても良い。これにより、閉塞ゴム弾性板の仕切部材への重ね合わせ状態において、受圧室の流体密性が一層向上され得る。
【発明を実施するための最良の形態】
【００２６】
以下、本発明を更に具体的に明らかにするために、本発明の実施形態について、図面を参照しつつ、詳細に説明する。先ず、図１には、本発明の流体封入式防振装置に関する第一の実施形態としての自動車用エンジンマウント１０が示されている。自動車用エンジンマウント１０は、第一の取付部材としての第一の取付金具１２と第二の取付部材としての第二の取付金具１４が本体ゴム弾性体１６で互いに連結された構造を有している。この第一の取付金具１２が自動車のパワーユニットに取り付けられると共に、第二の取付金具１４が車両ボデーに取り付けられることにより、パワーユニットが車両ボデーに対して防振連結されるようになっている。
【００２７】
なお、図１では、自動車に装着する前の自動車用エンジンマウント１０の単体での状態が示されているが、自動車への装着状態では、パワーユニットの分担支持荷重がマウント軸方向（図１中、上下）に入力されることにより、第一の取付金具１２と第二の取付金具１４がマウント軸方向で相互に接近する方向に変位して、本体ゴム弾性体１６が弾性変形する。また、かかる装着状態下、防振すべき主たる振動は、略マウント軸方向に入力される。以下の説明中、特に断りのない限り、上下方向は、マウント軸方向となる図１中の上下方向をいう。
【００２８】
より詳細には、第一の取付金具１２は、略円形ブロック形状を有していると共に、上方に向かって取付ボルト１８が突設されている。取付ボルト１８がパワーユニット側に締結されることによって、第一の取付金具１２がパワーユニットに取り付けられ得る。
【００２９】
一方、第二の取付金具１４は、大径の略円筒形状を有しており、図示しないブラケット金具等を介して車両ボデーに取り付けられるようになっている。この第二の取付金具１４の上方の開口部側に第一の取付金具１２が離隔配置されて、第一の取付金具１２と第二の取付金具１４の対向面間に本体ゴム弾性体１６が配設されている。
【００３０】
本体ゴム弾性体１６は、略円錐台形状を有していて、その小径側端面に第一の取付金具１２の外周面が固着されていると共に、大径側端部の外周面に第二の取付金具１４の内周面が固着されている。それによって、第一の取付金具１２と第二の取付金具１４が本体ゴム弾性体１６を介して弾性的に連結されていると共に、第二の取付金具１４の上側開口部が本体ゴム弾性体１６で流体密に閉塞されている。また、本体ゴム弾性体１６の大径側端面には、逆すり鉢状の大径凹所２０が第二の取付金具１４の内側に向かって開口して形成されていると共に、第二の取付金具１４の内周面には、薄肉のシールゴム層２２が被着形成されている。また、第二の取付金具１４の下端部には、可撓性膜としてのダイヤフラム２４が配設されている。
【００３１】
ダイヤフラム２４は、全体として略円形状を有する変形容易な薄肉のゴム膜からなり、外周縁部に大径リング状の固定金具２６が固着されている。この固定金具２６が第二の取付金具１４の下端部に内挿されて、第二の取付金具１４に八方絞り等の縮径加工が施されることにより、固定金具２６がシールゴム層２２を介して第二の取付金具１４に密着状態で固定されている。これにより、ダイヤフラム２４が第二の取付金具１４に固定されて、第二の取付金具１４の下側開口部がダイヤフラム２４によって流体密に閉塞されている。
【００３２】
また、第二の取付金具１４の内側における本体ゴム弾性体１６とダイヤフラム２４の軸方向対向面間には、隔壁部材２８が配設されている。隔壁部材２８は、図２にも示されているように、全体として略円形ブロック状を有していると共に、アルミニウム合金等の金属材やポリプロピレン（ＰＰ）等の合成樹脂材等の比較的に剛性が大きな材料を用いて形成される。また、隔壁部材２８は、仕切部材としての仕切金具３０と受圧室側カバー部材としてのカバー金具３２を含んで構成されている。
【００３３】
仕切金具３０は、図３〜８にも示されているように、略円板形状を有しており、径方向中央部分に上方に開口する円形状の収容凹所３４が形成されている。この収容凹所３４の径方向中央部分には、底壁部から立ち上がる中央突部３６が突設されていると共に、収容凹所３４の周壁部には、径方向内方に突出する外周突部３８の複数が周方向に等間隔に設けられている。これら中央突部３６と各外周突部３８の上端面には螺子穴４０が穿設されている。
【００３４】
収容凹所３４の底壁部の径方向中間部分には、連通口４２が周方向に離隔して複数貫設されている。本実施形態の連通口４２は、周方向に延びる長孔形状とされており、それらの３つが等間隔に配されている。また、仕切金具３０の外周部分には、上端面及び外周面に開口して周方向に所定の長さ（本実施形態では半周弱）で連続して延びる下側周溝４４が形成されていると共に、下側周溝４４の周方向一方の端部側に開口部４６が形成されて仕切金具３０の下端面に開口している。
【００３５】
一方、カバー金具３２は、浅底の略有底円筒形状を有している。このカバー金具３２の筒状部には、外周面に開口して周方向に所定の長さ（本実施形態では一周弱）で連続して延びる上側周溝４８が形成されており、上側周溝４８の周方向一方の端部側に内壁面に開口する開口部５０が形成されていると共に、上側周溝４８の周方向他方の端部側に接続窓５２が形成されてカバー金具３２の下端面に開口している。また、カバー金具３２の底壁部の中央側には、複数の透孔５４が周方向に離隔して貫設されていると共に、該底壁部の外周側には、周方向に長手状に延びる連通孔５６が周方向に離隔して複数貫設されている。更に、カバー金具３２の底壁部の径方向中央部分と該底壁部の外周側において連通孔５６と異なる位置には、挿通孔５８の複数が貫設されている。
【００３６】
このカバー金具３２が上方から仕切金具３０に重ね合わされると共に、仕切金具３０の各螺子穴４０とカバー金具３２の各挿通孔５８が相互に位置合わせされて、複数の固定ビス５９が各挿通孔５８に挿通されて各螺子穴４０に螺着されている。これにより、仕切金具３０とカバー金具３２が周方向で位置合わせされつつ相互に固定されて、隔壁部材２８が構成されている。また、仕切金具３０の収容凹所３４の開口部がカバー金具３２によって覆蓋されている。更に、仕切金具３０の下側周溝４４の上部開口がカバー金具３２で覆蓋されていると共に、下側周溝４４とカバー金具３２の上側周溝４８の各周方向他方の端部が相互に位置合わせされて、接続窓５２を通じて接続されている。これにより、上側周溝４８と下側周溝４４が直列的に接続されて、隔壁部材２８の外周部分を螺旋状に所定の長さで延びる周溝が構成されている。
【００３７】
上述のダイヤフラム２４の第二の取付金具１４への組み付けに先立って、隔壁部材２８が第二の取付金具１４に内挿されて、第二の取付金具１４に八方絞り等の縮径加工が施されることにより、隔壁部材２８がシールゴム層２２を介して第二の取付金具１４に密着状態で固定されている。それによって、第二の取付金具１４の内側における本体ゴム弾性体１６とダイヤフラム２４の軸方向対向面間が隔壁部材２８によって流体密に二分されている。
【００３８】
隔壁部材２８を挟んだ一方の側（図１中、上側）には、壁部の一部が本体ゴム弾性体１６で構成されて振動入力に伴い圧力変動が惹起される受圧室６０が形成されていると共に、隔壁部材２８を挟んだ他方の側（図１中、下側）には、壁部の一部がダイヤフラム２４で構成されて容積変化が容易に許容される平衡室６２が形成されている。これら受圧室６０と平衡室６２には、例えば、水やアルキレングリコール、ポリアルキレングリコールなどの粘度が０．１Ｐａ・ｓ以下の低粘性流体からなる非圧縮性流体が封入されている。
【００３９】
また、隔壁部材２８の上側及び下側周溝４４，４８がシールゴム層２２を介して第二の取付金具１４に流体密に閉塞されていることによって、隔壁部材２８の外周部分を螺旋状に所定の長さ（本実施形態では一周弱〜一周半弱）で延びるオリフィス通路６４が形成されている。このオリフィス通路６４の一方の端部がカバー金具３２の開口部５０を通じて受圧室６０に接続されていると共に、オリフィス通路６４の他方の端部が仕切金具３０の開口部４６を通じて平衡室６２に接続されている。それによって、受圧室６０と平衡室６２がオリフィス通路６４を通じて相互に連通されて、振動入力による受圧室６０と平衡室６２の圧力差に応じてオリフィス通路６４を通じての流体流動が生じることとなり、かかる流体の共振作用等の流動作用に基づく防振効果が発揮されるようになっている。なお、オリフィス通路６４を通じて流動する流体の共振周波数は、通路断面や通路長さ等に基づいて設定されており、本実施形態では、例えば自動車のエンジンシェイク等に相当する１０Ｈｚ程度の低周波数域に設定されている。
【００４０】
また、仕切金具３０においてカバー金具３２で覆蓋された円環状の収容凹所３４が、カバー金具３２の透孔５４や連通孔５６を通じて受圧室６０に連通されていると共に、仕切金具３０の連通口４２を通じて平衡室６２に連通されている。ここにおいて、かかる収容凹所３４には、仕切金具３０とカバー金具３２の組み付けに先立って、受圧室６０側となる収容凹所３４の上方開口部から底壁部に重ね合わせるようにして、閉塞ゴム弾性板としての弾性ゴム板６６が配設されている。
【００４１】
弾性ゴム板６６は、図９，１０にも示されているように、全体として略円形の平板形状を有していると共に、ゴム弾性材を用いて形成されている。また、弾性ゴム板６６の径方向中央部分には、略円筒形状の中央取付部６８が形成されている。かかる中央取付部６８の内孔７０に仕切金具３０の中央突部３６が挿通されて、中央取付部６８の下端面が、収容凹所３４の底壁部における各連通口４２よりも径方向内方の上端面に重ね合わされていると共に、中央取付部６８の上端面が、カバー金具３２の底壁部における各透孔５４よりも径方向内方の下端面に重ね合わされている。
【００４２】
また、中央取付部６８から弾性ゴム板６６の外周部分に向かって放射状に延びる３つのスポーク状保持部７２，７２，７２が周方向に等間隔に形成されて、各スポーク状保持部７２が、収容凹所３４の周方向で隣り合う各一対の連通口４２，４２の間の底壁部とかかる底壁部と軸方向で対向位置せしめられたカバー金具３２の複数の透孔５４間の底壁部との間に配置されている。
【００４３】
さらに、弾性ゴム板６６の下端面の外周側には、シール突条としての周方向に連続して延びる略円環状のシールリップ７８が一体形成されて、収容凹所３４の底壁部における各連通口４２よりも径方向外方部分に重ね合わされている。要するに、弾性ゴム板６６が仕切金具３０の複数の連通口４２を全体に亘って覆うようにして重ね合わされて、弾性ゴム板６６の外周縁部が各連通口４２の外周縁部よりも径方向外方に位置している。特に本実施形態では、弾性ゴム板６６の外周縁部が、カバー金具３２の各透孔５４よりも径方向外方に位置していると共に、各連通孔５６よりも径方向内方に位置している。これにより、各連通孔５６が、弾性ゴム板６６の外周縁部に対する軸方向の対向部位を外れた位置に設けられている。また、弾性ゴム板６６の下端面におけるシールリップ７８の突設部分を除いた略全体が、略平坦な形状とされている。
【００４４】
更にまた、弾性ゴム板６６の外周縁部には、円弧状の周方向保持部７４の３つが周方向に等間隔に形成されており、特に、各周方向保持部７４の周方向中央部分が、中央取付部６８から径方向外方に延び出す各スポーク状保持部７２の先端部分と接している。
【００４５】
本実施形態の弾性ゴム板６６においては、中央取付部６８やスポーク状保持部７２、周方向保持部７４の各厚さ寸法が互いに略同じとされていると共に、カバー金具３２の底壁部と仕切金具３０の収容凹所３４の底壁部の軸方向対向面間の寸法（両底壁部の軸方向の離隔距離）に比して大きくされている。これにより、中央取付部６８やスポーク状保持部７２、周方向保持部７４が、収容凹所３４における仕切金具３０及びカバー金具３２の両底壁部の軸方向間で圧縮変形していると共に、かかる圧縮変形状態が仕切金具３０とカバー金具３２の固定力により保持されて、中央取付部６８やスポーク状保持部７２、周方向保持部７４が隔壁部材２８に挟圧保持されている。また、弾性ゴム板６６のシールリップ７８も圧縮変形して、収容凹所３４の底壁部における複数の連通口４２よりも径方向外方部分に密接されている。更に、中央取付部６８が仕切金具３０の中央突部３６に弾性的に嵌着固定されている。更にまた、各周方向保持部７４の周方向中央部分の外周面が、仕切金具３０の各外周突部３８の径方向内方の突出先端面に圧接されている。その結果、弾性ゴム板６６が仕切金具３０に重ね合わされた状態に保持されて、複数の連通口４２が弾性ゴム板６６で流体密に閉塞されている。
【００４６】
一方、弾性ゴム板６６において、中央取付部６８やそれぞれ周方向で隣り合う各一対のスポーク状保持部７２，７２や各一対の周方向保持部７４，７４で囲まれた各領域が、それら中央取付部６８やスポーク状保持部７２、周方向保持部７４よりも小さな厚さ寸法の弾性弁部７６とされている。弾性弁部７６は、弾性ゴム板６６の径方向中央部分から外方に向かって拡幅する略扇状を有していると共に、周方向に等間隔に３つ設けられている。また、各弾性弁部７６の厚さ寸法が、カバー金具３２の底壁部と仕切金具３０の収容凹所３４の底壁部の軸方向対向面間の寸法に比して充分に小さくされており、各弾性弁部７６が、弾性ゴム板６６と仕切金具３０の重ね合わせ方向で、カバー金具３２に対して所定距離を隔てて対向配置されている。
【００４７】
特に本実施形態では、弾性ゴム板６６の周方向で隣り合う各一対の周方向保持部７４，７４の間における各弾性弁部７６の外周縁部が、各連通口４２の外周縁部よりも径方向外方に位置して、且つ各周方向保持部７４の外周縁部よりも径方向内方に位置している。また、周方向保持部７４の内周縁部が、連通口４２の外周縁部よりも径方向外方に位置している。更に、弾性弁部７６の周方向中央部分が連通口４２の周方向中央部分と周方向で位置合わせされている。それによって、各連通口４２が各弾性弁部７６における径方向及び周方向の略中央部分に位置している。
【００４８】
さらに、弾性弁部７６の外周縁部を挟んだ周方向両側における各周方向保持部７４の周方向端部側には、径方向に延びる切欠き状の溝部８０を介して段差部８２が、弾性弁部７６や周方向保持部７４と一体形成されている。段差部８２の厚さ寸法（高さ寸法）は、弾性弁部７６の厚さ寸法に比して大きくされていると共に、周方向保持部７４の厚さ寸法に比して小さくされている。そして、弾性ゴム板６６の仕切金具３０への重ね合わせ状態下、段差部８２がカバー金具３２から離隔配置されている。弾性ゴム板６６の外周縁部において段差部８２から周方向保持部７４の周方向中央部分にかけての部位が、仕切金具３０の各連通口４２よりも径方向外方部分を連通口４２の縁部に沿って延びている。
【００４９】
要するに、本実施形態に採用される弾性ゴム板６６では、中央取付部６８やスポーク状保持部７２、周方向保持部７４が、弾性弁部７６よりも厚さ寸法を大きくして、カバー金具３２と仕切金具３０の間に挟圧保持される厚肉ゴム部として構成されていると共に、かかる厚肉ゴム部の剛性が弾性弁部７６の剛性に比して十分に大きくされている。特に、弾性弁部７６の外周縁部を除く縁部が中央取付部６８やスポーク状保持部７２、周方向保持部７４、段差部８２で拘束されている一方、弾性弁部７６の外周縁部の周方向両側に位置する段差部８２がカバー金具３２から離隔していることによって、弾性弁部７６の中央部分と外周縁部のばね特性が、外周縁部を除く外周側や内周側、周方向両側のばね特性に比して柔らかくされている。
【００５０】
なお、上述の説明からも明らかなように、カバー金具３２が、弾性ゴム板６６の厚肉ゴム部を仕切金具３０に対して押し付ける押圧保持部材として機能する。また、弾性ゴム板６６を仕切金具３０に当接した重ね合わせ状態に弾性的に保持する当接保持手段が、かかるカバー金具３２や弾性ゴム板６６の厚肉ゴム部を含んで構成されている。
【００５１】
そこにおいて、弾性ゴム板６６の下端面と重ね合わされる仕切金具３０の収容凹所３４の底壁部の上端面には、凹所としての開放凹所８４が、弾性ゴム板６６の各弾性弁部７６に向かって開口、形成されている。開放凹所８４は、弾性ゴム板６６の各弾性弁部７６よりも一回り小さな略扇状を有しており、弾性ゴム板６６及び仕切金具３０の重ね合わせ方向で各弾性弁部７６と対向配置されている。即ち、開放凹所８４が、仕切金具３０の収容凹所３４の径方向中間部分に周方向で等間隔に３つ設けられていると共に、何れも弾性ゴム板６６の厚肉ゴム部から外れた位置に設けられて、各開放凹所８４の開口部の全体が各弾性弁部７６で覆蓋されている。これにより、弾性ゴム板６６と仕切金具３０の重ね合わせ面間には、３つの閉鎖状隙間８６，８６，８６が形成されている。各閉鎖状隙間８６は、弾性ゴム板６６の外周縁部がシールリップ７８を介して収容凹所３４の底壁部に密接されていることに基づき、収容凹所３４、延いては受圧室６０と流体密に仕切られている。
【００５２】
さらに、仕切金具３０と弾性ゴム板６６の重ね合わせ面方向（図２〜５中、紙面方向）に広がる大きさに関して、各連通口４２が各開放凹所８４に比して小さくされており、かかる連通口４２が、各開放凹所８４の底壁部の周方向中央部分において径方向外方に偏倚した位置に開口している。特に本実施形態では、連通口４２が、その径方向外方縁部を開放凹所８４の径方向外方縁部に接するようにして周方向に延びている。これにより、各閉鎖状隙間８６の外周部位に連通口４２が接続されており、平衡室６２の圧力が、連通口４２および閉鎖状隙間８６を通じて弾性弁部７６の下端面に及ぼされている。一方、弾性ゴム板６６における弾性弁部７６や段差部８２の各上端面には、カバー金具３２の透孔５４や連通孔５６を通じて受圧室６０の圧力が及ぼされている。即ち、弾性ゴム板６６において受圧室６０と平衡室６２の圧力差に応じて変形変位する主たる弾性変形領域が、隔壁部材２８で挟圧保持されていない弾性弁部７６や段差部８２等とされている。
【００５３】
このような構造とされた自動車用エンジンマウント１０においては、アイドリング振動や走行こもり音等に相当する中周波以上の高周波数域の振動が入力されると、それよりも低周波数域にチューニングされたオリフィス通路６４が、流動する流体の反共振作用等に起因して実質的に閉塞状態になる。また、かかる高周波振動の振幅が例えば±０．０５〜０．１ｍｍ程度とされて、弾性ゴム板６６の表裏両面に及ぼされる受圧室６０と平衡室６２の圧力差の変動が小さい状態では、各弾性弁部７６の周方向両側に設けられた各段差部８２が仕切金具３０に当接している。
【００５４】
そこにおいて、弾性ゴム板６６における各弾性弁部７６の中央側が閉鎖状隙間８６を挟んで仕切金具３０と対向配置されていることによって、図１１に二点鎖線で示されるように、弾性弁部７６が微小変形する際に、仕切金具３０の開放凹所８４の底壁部との当接が積極的に回避され得る。なお、図１に示される如き振動未入力の状態で、弾性弁部７６と開放凹所８４の底壁部との対向面間距離に相当する閉鎖状隙間８６の高さ寸法（開放凹所８４の深さ寸法）は、特に限定されるものでないが、好適には、振動未入力の状態から防振すべき高周波小振幅振動の入力時に、弾性弁部７６が開放凹所８４の底壁部に向かって変形変位する最大値よりも十分に大きく設定される。これにより、弾性弁部７６の中央側の比較的に柔らかいばね特性に基づく微小変形量が、弾性弁部７６と開放凹所８４の底壁部との当接により著しく制限されることが回避されて、かかる変形による受圧室６０の液圧吸収効果に基づく所期の防振効果（低動ばね効果）が安定して得られる。
【００５５】
一方、エンジンシェイクに相当する振幅が例えば±１〜２ｍｍの低周波大振幅振動の入力時には、弾性弁部７６の中央側が、柔らかいばね特性とされていることで、平衡室６２側に向かって大きく弾性変形する。ここで、弾性弁部７６が仕切金具３０において連通口４２だけでなく、閉鎖状隙間８６の壁部を構成する開放凹所８４の底壁部にも対向位置している。また、図１に示される如き振動未入力の状態で、弾性弁部７６と開放凹所８４の底壁部との対向面間距離に相当する閉鎖状隙間８６の高さ寸法が、低周波大振幅振動の入力時における弾性弁部７６が開放凹所８４の底壁部に向かって変形変位する最大値よりも小さくされている。これにより、低周波大振幅振動の入力時に弾性弁部７６が開放凹所８４の底壁部に当接して、弾性弁部７６の弾性変形が制限されるようになっている。
【００５６】
しかも、かかる低周波大振幅振動の入力下で、弾性ゴム板６６は、段差部８２が仕切金具３０から離隔してカバー金具３２に当接する程に大きく変形変位しない変形剛性を備えており、それによって、受圧室６０及び平衡室６２の連通口４２を通じての連通状態が弾性ゴム板６６により実質的に遮断されている。即ち、弾性弁部７６の柔らかいばね特性によって、弾性弁部７６の外周縁部が仕切金具３０から離隔して、連通口４２が開口するようなことがある場合においても、弾性弁部７６に比して厚さ寸法が大きくされた段差部８２と更に段差部８２よりも厚さ寸法が大きくされて且つ隔壁部材２８に拘束された周方向保持部７４やスポーク状保持部７２等の硬いばね特性に基づいて、弾性弁部７６のばね特性が非線形的に急に硬くなる領域まで変形が大きくなることによって、段差部８２がカバー金具３２に当接する程に弾性弁部７６の外周縁部が仕切金具３０から大きく離隔する変形が抑えられている。
【００５７】
従って、エンジンシェイク等に相当する低周波大振幅振動の入力に際して、受圧室６０の圧力変動が連通口４２を通じて必要以上に逃げることが防止されることに加え、弾性弁部７６の変形変位による受圧室６０の液圧吸収も抑えられることから、オリフィス通路６４を通じて流動する流体の流動量が十分に確保されて、目的とする防振効果（高減衰効果）が安定して得られるのである。
【００５８】
また、自動車が段差を乗越えたり、凹凸の大きな路面を走行する等して、振幅が例えば±２ｍｍ以上の過大な若しくは衝撃的な振動荷重が入力されると、受圧室６０と平衡室６２の圧力差の変動が過大になって、受圧室６０の圧力が大きく低下する場合がある。そこにおいて、本実施形態では、連通口４２を通じて弾性弁部７６に及ぼされる平衡室６２の圧力が、閉鎖状隙間８６を介して弾性弁部７６の全体に効率良く及ぼされることとなる。それによって、図１２にも示されているように、弾性弁部７６が中央部分や外周縁部の柔らかいばね特性領域に加えて、段差部８２が配置された連通口４２の外周縁部の周方向両側まで広がって、弾性弁部７６が仕切金具３０から離隔する変形量が大きく確保され得、閉鎖状隙間８６が収容凹所３４から受圧室６０に対して大きく開放する。それ故、受圧室６０と平衡室６２が連通口４２を通じて速やかに且つ確実に短絡する過大圧力回避機構が実現されて、受圧室６０のキャビテーション気泡の発生に起因する衝撃的な異音や振動が効果的に抑制され得る。
【００５９】
すなわち、本実施形態の自動車用エンジンマウント１０によれば、仕切金具３０と弾性ゴム板６６の重ね合わせ面方向に広がる閉鎖状隙間８６の寸法と同じ開口面積の短絡孔が仕切金具に貫通形成されて、平衡室の圧力が短絡孔を通じて弾性ゴム板に及ぼされる構造と同等な過大圧力回避効果を奏するのであり、しかも低周波大振幅振動に対して弾性ゴム板６６の変形制限手段を備えている。それ故、オリフィス通路６４による高減衰効果が十分に得られつつ、閉鎖状隙間８６の仕切金具３０及び弾性ゴム板６６の重ね合わせ面方向の寸法を大きくして、過大圧力回避効果の更なる向上効果に基づき、受圧室６０の問題となる過大な負圧時に発生するキャビテーションによる異音や振動が一層効果的に抑制され得る。
【００６０】
また、本実施形態では、（イ）弾性弁部７６のまわりに設けられた中央取付部６８やスポーク状保持部７２、周方向保持部７４からなる厚肉ゴム部がカバー金具３２と仕切金具３０の間に挟圧保持されていることや、（ロ）弾性弁部７６の厚さ寸法がスポーク状保持部７２や段差部８２を利用して周方向両側から中央部分に向かって段階的に小さくなるように変化していることや、（ハ）弾性弁部７６が仕切金具３０から大きく離隔するように弾性変形する際に段差部８２がカバー金具３２に当接することや、（ニ）弾性弁部７６が閉鎖状隙間８６を構成する仕切金具３０の開放凹所８４の底壁部と対向配置されて、受圧室６０と平衡室６２の圧力差に応じてかかる底壁部に当接すること等によって、弾性弁部７６における弾性特性を非線形として弾性弁部７６の弾性変形量の増大に伴って弾性特性を非線形的に一層硬くする非線形化手段が構成されている。これにより、高周波小振幅振動時の弾性弁部７６の微小変形作用と、低周波大振幅振動時の弾性弁部７６の変形制限作用が、一層有利に発揮され得る。
【００６１】
以下に、本発明の流体封入式防振装置に関して第一の実施形態の自動車用エンジンマウント１０と異なる形態の自動車用エンジンマウントについて、幾つか説明するが、かかる説明中、第一の実施形態と実質的に同一の構造とされた部材及び部位については、同一の符号を付すことにより、それらの詳細な説明を省略する。
【００６２】
すなわち、図１３，１４には、本発明の第二の実施形態としての自動車用エンジンマウントに採用される弾性ゴム板８８が示されている。この弾性ゴム板８８の各弾性弁部７６の径方向及び周方向の略中央部分には、当接突起９０が形成されている。当接突起９０は、弾性弁部７６と一体形成されて、カバー金具３２に向かって突設されている。また、当接突起９０の高さ寸法が段差部８２の高さ寸法に比して小さくされて、弾性ゴム板８８が仕切金具３０に重ね合わされた状態下、カバー金具３２との離隔距離が、段差部８２に比して大きくされている。また、当接突起９０の先端部分が略半球状を有している。
【００６３】
このような当接突起９０を備えた弾性ゴム板８８においては、例えば、低周波大振幅振動の入力時に、当接突起９０がカバー金具３２に当接されて、弾性弁部７６の中央部分の変形変位が制限されることによって、受圧室６０の圧力が一層有利に確保され得る。また、例えば、衝撃的な振動荷重入力時に、弾性弁部７６の中央部分が当接突起９０を介してカバー金具３２に打ち当たることによって、当接面積の縮小に基づき衝撃的な打ち当たりに伴う大きな打音が効果的に低減され得る。
【００６４】
また、図１５に示される如き本発明の第三の実施形態としての自動車用エンジンマウントのようにしても良い。即ち、仕切金具３０の収容凹所３４の底壁部が平坦形状とされていると共に、弾性ゴム板９２の各弾性弁部７６の下端面に収容凹所３４の底壁部に向かって開口する凹所９４が形成されて、弾性ゴム板９２の外周縁部が収容凹所３４の底壁部に重ね合わされた状態下、凹所９４が収容凹所３４の底壁部で覆われて閉鎖状隙間９６が形成されている。このような形態によれば、仕切金具３０の製造が簡単とされ得たり、弾性ゴム板９２の形状を利用して凹所９４が簡単に実現され得る。
【００６５】
また、前記第一の実施形態では、弾性ゴム板の厚さ寸法を部分的に異ならせたり、弾性ゴム板を受圧室側から覆うように配設するカバー金具の形状や構造を利用したりして、非線形化手段が構成されていたが、例えば図１６，１７に示される如き弾性ゴム板１００を採用した本発明の第四の実施形態としての自動車用エンジンマウントの如き構成も採用可能である。即ち、厚さ寸法が略一定の平板形状のゴム板１０２に対して、かかるゴム板１０２よりも硬質の補強部材としての補強金具１０４が埋設状態で固着されて、弾性ゴム板１００が構成されている。ゴム板１０２における補強金具１０４を配置した部分と配置しない部分との剛性差を利用して、非線形化手段を構成することとなる。
【００６６】
具体的には、補強金具１０４の中央部分に形成された小径のボス状部１０６が、ゴム板１０２の中央部分に配置されて、ボス状部１０６から外周側に向かって放射状に延びるスポーク状部１０８が配置され、スポーク状部１０８の先端部分から周方向に円弧状に広がる分割リム状部１１０が、ゴム板１０２の外周縁部に沿って配設される。これにより、ゴム板１０２において補強金具１０４が配置されていない略扇状の部分により弾性弁部７６を構成する。また、弾性ゴム板１００における補強金具１０４の配設部分が仕切金具３０に重ね合わされることによって、弾性ゴム板１００を仕切金具３０に当接して重ね合わせ状態に保持させる当接保持手段を構成する。更に、分割リム状部１１０の周方向中央部分の外周縁部に切欠き状部１１２が形成されて、弾性ゴム板１００の外周縁部のばね特性が調節され得る。更にまた、分割リム状部１１０の周方向端部から弾性弁部７６に向けて周方向に延び出すようにして延出保持部としての細片部１１４が一体形成されて、かかる細片部１１４が分割リム状部１１０よりも小さくされていることで低剛性とされて、かかる細片部１１４からなる補強金具１０４の低剛性部分によって弾性弁部７６の周方向両側の弾性特性が周方向中央部分よりも硬くされることにより、非線形化手段を構成することとなる。
【００６７】
以上、本発明の幾つかの実施形態について説明してきたが、これら実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【００６８】
例えば、前記実施形態では、弾性ゴム板の弾性弁部７６に比して剛性の大きな部分が、厚肉ゴム部やゴム板に補強金具を埋設配置した部分によって構成されていたが、全体に亘って厚さ寸法が一定のゴム板に対して部分的に当接したり拘束変形させる突起を仕切金具やカバー金具に設けることにより、ゴム板のかかる突起が当たる部分で高剛性部分を構成したり、或いは金具や合成樹脂等の剛性部材の単層構造で高剛性部分を構成することも可能である。
【００６９】
また、弾性ゴム板における中央取付部やスポーク状保持部、周方向保持部等は、弾性ゴム板の仕切金具への重ね合わせ状態で、カバー金具と仕切金具の間に挟圧保持されている必要はなく、例えば、中央取付部やスポーク状保持部、周方向保持部をカバー金具に単に当接させたり、カバー金具と所定距離を隔てて対向配置させても良い。
【００７０】
また、前記実施形態では、弾性ゴム板６６の中央部分（中央取付部６８）が仕切金具３０の中央突部３６に弾性的に嵌着されると共に、弾性ゴム板６６の中央部分や外周部分が隔壁部材２８に挟圧保持されることによって、弾性ゴム板６６が隔壁部材２８に固定されていたが、例えば、弾性ゴム板を隔壁部材におけるカバー金具と仕切金具の少なくとも一方に対してビスやボルト等で固定することも可能である。
【００７１】
また、仕切金具の弾性ゴム板への重ね合わせ面と弾性ゴム板の仕切金具への重ね合わせ面の両方に、同一の又は異なる凹所を形成して、それら両凹所が協働して閉鎖状隙間が形成されても良い。
【００７２】
また、前記実施形態の自動車用エンジンマウント１０では、単一のオリフィス通路６４を設けた構造が採用されていたが、複数のオリフィス通路を採用することも可能である。
【００７３】
加えて、前記実施形態では、本発明を自動車用エンジンマウントに適用したものの具体例について説明したが、本発明は、自動車用ボデーマウントやデフマウント、サスペンションメンバマウント、サスペンションブッシュ等の他、自動車以外の各種振動体を防振する流体封入式防振装置に対して、何れも、適用可能である。
【図面の簡単な説明】
【００７４】
【図１】本発明の第一の実施形態としての自動車用エンジンマウントを示す縦断面図であって図２のＩ−Ｉ断面に対応する図。
【図２】図１の自動車用エンジンマウントの一部を構成する隔壁部材に弾性ゴム板を組み付けた状態を示す平面図。
【図３】図２の隔壁部材の一部を構成する仕切金具に弾性ゴム板を組み付けた状態を示す平面図。
【図４】図３の仕切金具の平面図。
【図５】図４の仕切金具の底面図。
【図６】図４のＶＩ−ＶＩ矢視図。
【図７】図４のＶＩＩ−ＶＩＩ断面図。
【図８】図４のＶＩＩＩ−ＶＩＩＩ断面図。
【図９】図２の弾性ゴム板の平面図。
【図１０】図９のＸ−Ｘ断面図。
【図１１】図１のＸＩ−ＸＩ断面の拡大図。
【図１２】図１の自動車用エンジンマウントの要部を拡大して示し、且つ図１１と異なる一動作状態を示す縦断面図。
【図１３】本発明の第二の実施形態としての自動車用エンジンマウントに採用される弾性ゴム板の平面図。
【図１４】図１３のＸＩＩＩＩ−ＸＩＩＩＩ断面図。
【図１５】本発明の第三の実施形態としての自動車用エンジンマウントの要部を拡大して示す縦断面図。
【図１６】本発明の第四の実施形態としての自動車用エンジンマウントに採用される弾性ゴム板の平面図。
【図１７】図１６のＸＶＩＩ−ＸＶＩＩ断面図。
【符号の説明】
【００７５】
１０：自動車用エンジンマウント、１２：第一の取付金具、１４：第二の取付金具、１６：本体ゴム弾性体、２４：ダイヤフラム、３０：仕切金具、４２：連通口、６０：受圧室、６２：平衡室、６４：オリフィス通路、６６：弾性ゴム板、６８：中央取付部、７２：スポーク状保持部、７４：周方向保持部、７６：弾性弁部、８６：閉鎖状隙間
【図１】
2010007837.tif 000003
【図２】
2010007837.tif 000004
【図３】
2010007837.tif 000005
【図４】
2010007837.tif 000006
【図５】
2010007837.tif 000007
【図６】
2010007837.tif 000008
【図７】
2010007837.tif 000009
【図８】
2010007837.tif 000010
【図９】
2010007837.tif 000011
【図１０】
2010007837.tif 000012
【図１１】
2010007837.tif 000013
【図１２】
2010007837.tif 000014
【図１３】
2010007837.tif 000015
【図１４】
2010007837.tif 000016
【図１５】
2010007837.tif 000017
【図１６】
2010007837.tif 000018
【図１７】
2010007837.tif 000019